(57)【特許請求の範囲】
【請求項１】
ケーブル管が敷設される構造物の遊間部に対応して設置されるケーブル管用伸縮継手であって、
遊間部を挟む構造物にそれぞれ敷設される一対のハンドホールと、
この各ハンドホールに一端が導入され、他端が構造物に敷設されたケーブル管と接続される連結管と、
上記各ハンドホールに導入された連結管の一端にそれぞれ一端が連結され、一対のハンドホール間に架設された蛇腹式チューブと、
このチューブ内から一方の連結管内及びケーブル管内にまで亘って配置され、一端が他方の連結管に固定部材を介して固定され、他端側が上記一方の連結管に支持部材を介して軸方向に摺動可能に支持されたロッドとを備えており、
上記固定部材及び支持部材は、連結管の外周面にチューブの一端と共止めされる固定部と、この固定部から連結管内側に略直角に延設されロッドを支持する支持部とを有する同一形状のものであることを特徴とするケーブル管用伸縮継手。
【請求項２】
上記ロッドは、複数本の分割ロッドからなり、かつ隣接する２本の分割ロッド同士は、一方の分割ロッドの一端に設けたねじ部を、他方の分割ロッドの一端に設けたねじ穴にねじ込んで連結されてなる請求項１記載のケーブル管用伸縮継手。
【発明の詳細な説明】
【０００１】
【発明の属する技術分野】
本発明は、各種ケーブルを収容するケーブル管が敷設される鋼又はコンクリート構造物の遊間部に対応して設置されるケーブル管用伸縮継手に関する。
【０００２】
【従来の技術】
従来、高速道路などの橋梁においては、鋼又はコンクリート構造物としての高欄などに沿ってケーブル管を埋設し、このケーブル管内に通信ケーブルや電源ケーブルなどを収容することが行われている。また、橋梁の橋台と橋床との接続部及び橋床相互の連結部には、温度伸縮あるいは地震や車両その他による振動に起因する接触による構造物の損傷を防止するために遊間（隙間）が設けられており、この遊間部に対応して、両側の構造物に敷設されるケーブル管同士を接続するためのケーブル管用伸縮継手が設置されている。
【０００３】
そして、本出願人らは、先に、伸縮性や耐久性などに優れた新型のケーブル管用伸縮継手を提案し、実用化している（登録意匠第１０９７１４５号公報参照）。この提案のケーブル管用伸縮継手は、遊間部を挟む構造物にそれぞれ敷設される一対のハンドホールと、この各ハンドホールに一端が導入され、他端が構造物に敷設されたケーブル管と接続される連結管と、上記各ハンドホールに導入された連結管の一端にそれぞれ一端が連結され、一対のハンドホール間に架設された蛇腹式チューブとを備えてなる。
【０００４】
【発明が解決しようとする課題】
ところで、上記遊間は、通常、４０ｍｍ程度のものであるが、橋梁が長大化した場合などには遊間が一桁近く大きくなることもある。このような場合に上記提案のケーブル管用伸縮継手を用いると蛇腹式チューブの長さが長くなり、このチューブが大きく伸縮するときにＵ字状に湾曲し、チューブ内に収容されたケーブルが断線したり破損したりする虞がある。
【０００５】
本発明はかかる点に鑑みてなされたものであり、その課題とするところは、上記提案のケーブル管用伸縮継手に対し改良を加えて、蛇腹式チューブの長さが長い場合でもチューブが軸方向に確実に伸縮するようにし、チューブの湾曲によるケーブルの断線や破損を防止し得るケーブル管用伸縮継手を提供せんとするものである。
【０００６】
【課題を解決するための手段】
上記の課題を解決するため、請求項１に係る発明は、ケーブル管が敷設される構造物の遊間部に対応して設置されるケーブル管用伸縮継手として、遊間部を挟む構造物にそれぞれ敷設される一対のハンドホールと、この各ハンドホールに一端が導入され、他端が構造物に敷設されたケーブル管と接続される連結管と、上記各ハンドホールに導入された連結管の一端にそれぞれ一端が連結され、一対のハンドホール間に架設された蛇腹式チューブとを備え、更に、このチューブ内から一方の連結管内及びケーブル管内にまで亘って配置され、一端が他方の連結管に固定部材を介して固定され、他端側が上記一方の連結管に支持部材を介して軸方向に摺動可能に支持されたロッドを備える構成とする。
【０００７】
この構成では、構造物の遊間部の変動に伴いケーブル管用伸縮継手が伸縮するとき、蛇腹式チューブ内から一方の連結管内及びケーブル管内にまで亘って配置されたロッドは、一端が他方の連結管に固定部材を介して固定され、他端側が一方の連結管に支持部材を介して支持されたまま摺動するため、変形などを生じることはなく、蛇腹式チューブの伸縮などに支障を来たすこともない。また、蛇腹式チューブは、上記ロッドによってＵ字状などに湾曲することが阻止され、軸方向に確実に伸縮することになる。
【０００８】
請求項１に係る発明は、更に、上記固定部材及び支持部材を、同一形状のものとし、かつ連結管の外周面にチューブの一端と共止めされる固定部と、この固定部から連結管内側に略直角に延設されロッドを支持する支持部とを有する構成とする。この構成では、ロッドの一端を連結管（詳しくは一方のハンドホールに導入された連結管の一端）に固定するための固定部材と、ロッドの他端側を連結管（詳しくは他方のハンドホールに導入された連結管の一端）に摺動可能に支持させるための支持部材とが同一形状のものであるため、ケーブル管用伸縮継手の設置時には両部材の相違を意識することなくロッドの固定及び支持の作業を行うことができ、その分作業を容易に行うことができる。しかも、両部材の固定部は、連結管の外周面にチューブの一端と共止めされるものであるため、作業の容易化が一層図られることになる。尚、固定部材によりロッドの一端を連結管に固定するときには、固定部材の付属品としての係合ピンなどを用いて固定部材の支持部にロッドを摺動不能に係合させる必要がある。
【０００９】
請求項２に係る発明は、請求項１記載のケーブル管用伸縮継手において、上記ロッドを、複数本の分割ロッドにより構成し、かつ隣接する２本の分割ロッド同士を、一方の分割ロッドの一端に設けたねじ部を、他方の分割ロッドの一端に設けたねじ穴にねじ込んで連結する構成とする。この構成では、ケーブル管用伸縮継手の設置時には分割ロッドを１本ずつチューブ内などに挿入しかつ隣接する２本の分割ロッド同士をそれぞれねじ結合により連結することによって、長いロッドをチューブ内などに所定状態に比較的容易に配置することができる。
【００１０】
【発明の実施の形態】
以下、本発明の実施の形態を図面に基づいて説明する。
図１及び図２は本発明の第１の実施形態に係るケーブル管用伸縮継手を示す。この伸縮継手１は、高速道路等の橋梁における鋼又はコンクリート構造物としての高欄２の遊間部３に対応して設置されるもので、遊間部３を挟む２箇所の高欄２，２にそれぞれ埋設されるケーブル管４，４同士を接続し、このケーブル管４及びその内部に収容される通信ケーブルや電源ケーブルなどのケーブルを保護するためのものである。
【００１１】
上記伸縮継手１は、遊間部３を挟む２箇所の高欄２，２にそれぞれ埋設される一対のハンドホール１１ａ，１１ｂを備えている。この各ハンドホール１１ａ，１１ｂは、図３及び図４にも示すように、遊間部３及び路面に臨む２面が開放した箱状のもので、路面に臨む正面には蓋１２がボルト１３止めにより取り外し可能に設けられている。また、各ハンドホール１１ａ，１１ｂの遊間部３と反対側の側壁部１１ｃには上下２本の連結管１４，１４がそれぞれ貫通して設けられ、この各連結管１４のハンドホール１１ａ，１１ｂ外の端部には接続管１５を介して上記ケーブル管４が接続されている一方、各連結管１４のハンドホール１１ａ，１１ｂ内に導入された端部には蛇腹式チューブ１６の一端が連結されている。
【００１２】
上記蛇腹式チューブ１６は、図５に拡大詳示するように、ネオプレンクロス製のチューブ本体１６ａ内にチューブ本体１６ａの径よりも一回り大きな径を有する多数のリング１６ｂ，１６ｂ，…を所定間隔毎に配置してなる。このチューブ１６の取付長さは、遊間部３の長さに応じて設定され、例えば遊間部３の長さが３５０ｍｍ程度であれば５５０ｍｍ程度に設定される。このとき、チューブ１６の伸縮量は、軸方向に±２５０ｍｍ程度、軸直角方向に±３０程度である。蛇腹式チューブ１６は、遊間部３を挟む一対のハンドホール１１ａ，１１ｂの連結管１４，１４間に跨って上下２本設けられている。尚、図５中、２５はパッキンである。
【００１３】
そして、本発明の特徴点として、図３及び図４に示すように、上記各チューブ１６内にはそれぞれその上側に沿って一方（図４で右側）のハンドホール１１ｂ側の連結管１４内及びケーブル管４内にまで延びるロッド１７が配置されており、このロッド１７の一端は、他方（図４で左側）のハンドホール１１ａ側の連結管１４に固定部材１８を介して固定され、ロッド１７の他端部は上記一方のハンドホール１１ｂ側の連結管１４に支持部材１９を介して軸方向に摺動可能に支持されている。
【００１４】
上記固定部材１８及び支持部材１９は、同一形状のものであって、固定部材１８の場合図６及び図７に拡大詳示するように、連結管１４の外周面にチューブ１６の一端との間に挟まれかつチューブ１６の外側からバンド部材２０により締め付けてチューブ１６の一端と共止めされる固定部２１ａと、この固定部２１ａの一端部に連結管１４内側へ略直角に延設されロッド１７を支持する略Ｕ字状の支持部２１ｂとを有してなり、支持部２１ｂには水平方向に貫通するピン挿通孔２１ｃが設けられている。そして、支持部材１９は、その支持部２１ｂでロッド１７を支持するだけであるのに対し、固定部材１８は、支持部２１ｂでロッド１７を支持した上、支持部２１ｂのピン挿通孔２１ｃ及びロッド１７の後述するピン挿通孔２２に割りピン２３を挿入することによりロッド１７を軸方向に摺動不能に固定するようになっている。
【００１５】
また、上記ロッド１７は、図８に示すように、略同一寸法の２本の分割ロッド１７ａ，１７ｂからなり、かつこの２本の分割ロッド１７a，１７ｂ同士は、一方の分割ロッド１７ａの一端に設けたねじ部１７ｃを、他方の分割ロッド１７ｂの一端に設けたねじ穴１７ｄにねじ込んで連結されてなる。一端にねじ部１７ｃを設けた分割ロッド１７ａの他端には軸直角方向にピン挿通孔２２が設けられている。このロッド１７の長さは、蛇腹式チューブ１６の取付長さに軸方向の伸縮量を加えた値よりも所定寸法大きく設定されていて、蛇腹式チューブ１６が最も伸張したときでも支持部材１９の支持部２１ｂから抜け落ちないようになっている。
【００１６】
次に、上記ケーブル管用伸縮継手１の作用・効果について説明するに、高欄２の遊間部３の変動に伴いケーブル管用伸縮継手１が伸縮するとき、蛇腹式チューブ１６内から一方のハンドホール１１ｂ側の連結管１４内及びケーブル管４内にまで亘って配置されたロッド１７は、支持部材１９を介して一方のハンドホール１１ｂ側の連結管１４により支持された部分において軸方向に摺動するため、変形などを生じることはなく、蛇腹式チューブ１６の伸縮などに支障を来たすこともない。また、蛇腹式チューブ１６は、上記ロッド１７によってＵ字状などに湾曲することが阻止され、軸方向に確実に伸縮するため、内部に収容される各種ケーブルの断線や破損を防止することができる。
【００１７】
その上、上記ロッド１７の一端を一方のハンドホール１１ａ側の連結管１４に固定するための固定部材１８と、ロッド１７の他端側を他方のハンドホール１１ｂ側の連結管１４に摺動可能に支持させるための支持部材１９とが同一形状のものであるため、ケーブル管用伸縮継手１の設置時に両部材１８，１９の相違を意識することなくロッド１７の固定及び支持の作業を行うことができ、その分作業の容易化を図ることができる。しかも、両部材１８，１９の固定部２１ａは連結管１４の外周面に蛇腹式チューブ１６の一端と共止めされるものであるため、作業の容易化を一層図ることができる。
【００１８】
さらに、上記ロッド１７は２本の分割ロッド１７ａ，１７ｂからなり、ケーブル管用伸縮継手１の設置時に分割ロッド１７ａ，１７ｂを１本ずつ蛇腹式チューブ１６の一端からその内部に挿入しかつ両分割ロッド１７ａ，１７ｂ同士をねじ部１７ｃとねじ穴１７ｄとのねじ結合により連結することによって、長いロッド１７を蛇腹式チューブ１６内から一方のハンドホール１１ｂ側の連結管１４内及びケーブル管４内にまで亘って所定状態に比較的容易に配置することができるので、作業の容易化をより一層図ることができる。
【００１９】
図９ないし図１１は本発明の第２の実施形態として、ケーブル管用伸縮継手のうち、特に蛇腹式チューブ内から一方のハンドホール側の連結管内及びケーブル管内にまで亘って配置されるロッドの取付構造の変形例を示すものである。
【００２０】
すなわち、上記ロッド３０は、第１の実施形態におけるロッド１７と同様に、略同一寸法の２本の分割ロッド３０ａ，３０ｂからなり、かつ一方の分割ロッド３０ａの一端に設けたねじ部３０ｃを、他方の分割ロッド３０ｂの一端に設けたねじ穴３０ｄにねじ込んで両分割ロッド３０ａ，３０ｂを連結してなるが、一端にねじ部３０ｃを設けた分割ロッド３０ａの他端部には、外周面に鍔部材３１が固着されているとともに、端面にねじ穴３２及びこのねじ穴３２に螺合する鍔付きボルト３３が設けられている。
【００２１】
また、上記ロッド３０の一端を一方のハンドホール側の連結管１４に固定するための固定部材３５は、連結管１４の外周面にチューブ１６の一端との間に挟まれかつチューブ１６の外側からバンド部材２０により締め付けてチューブ１６の一端と共止めされる固定部３５ａと、この固定部３５ａの一端から連結管１４内側に略直角に折り曲げられかつ先端部にロッド３０を挿入支持する挿入孔３６が設けられた支持部３５ｂとを有してなる。そして、固定部材３５によりロッド３０の一端を固定するときには、ロッド３０の鍔付きボルト３３を有する分割ロッド３０ａから鍔付きボルト３３を外し、この分割ロッド３０ａの鍔付きボルト３３を外した側の端部を固定部材３５の支持部３５ｂの挿入孔３６に挿入して支持させた後、分割ロッド３０ａ端面のねじ穴３２に鍔付きボルト３３を螺合装着し、この鍔付きボルト３３と鍔部材３１との間に固定部材３５の支持部３５ｂを挟むことにより、分割ロッド３０ａないしロッド３０が軸方向に摺動不能に固定される。尚、ロッド３０の他端側を他方の連結管に摺動可能に支持させるための支持部材は、図示していないが、上記固定部材３５と同一形状に形成されている。
【００２２】
そして、上記第２の実施形態においても、第１の実施形態の場合と同様に、蛇腹式チューブ１６は、その内部に配置されたロッド３０によってＵ字状などに湾曲することが阻止され、軸方向に確実に伸縮するため、内部に収容される各種ケーブルの断線や破損を防止できるなどの効果を奏するのは勿論である。
【００２３】
尚、本発明は上記第１及び第２の実施形態に限定されるものではなく、その他種々の実施形態を包含するものである。例えば上記第１の実施形態では、各ハンドホール１１ａ，１１ｂの側壁部１１ｃに上下２本の連結管１４を貫通して設けたものについて述べたが、本発明は、このものに限らず、各ハンドホール１１ａ，１１ｂの側壁部１１ｃに１本又は３本以上の連結管を貫通して設けたものについても同様に適用することができる。
【００２４】
また、上記各実施形態では、蛇腹式チューブ１６などに配置されるロッド１７，３０を、いずれも２本の分割ロッド１７ａ，１７ｂ又は３０ａ，３０ｂにより構成した場合について述べたが、本発明、特に請求項２に係る発明は、このロッドを、場合によって３本又はそれ以上の分割ロッドにより構成してもよく、この場合でも、隣接する２本の分割ロッド同士を、一方の分割ロッドの一端に設けたねじ部を、他方の分割ロッドの一端に設けたねじ穴にねじ込んで連結するように構成すればよい。
【００２５】
さらに、本発明は、上記各実施形態の如く高速道路の橋梁における高欄２の遊間部３に対応して設置されるケーブル管用伸縮継手１に限らず、広く構造物の遊間部に対応して設置されるケーブル管用伸縮継手に適用することができるのは勿論である。
【００２６】
【発明の効果】
以上のように、本発明のケーブル管用伸縮継手によれば、構造物の遊間部の変動に伴いケーブル管用伸縮継手が伸縮するときには、遊間部を挟む一対のハンドホールの連結管間に架設された蛇腹式チューブは、その内部に配置されたロッドによってＵ字状などに湾曲することが阻止され、軸方向に確実に伸縮するため、このチューブの長さが長い場合でもその湾曲によるケーブルの断線や破損を防止することができる。
【００２７】
また、本発明では、ロッドの一端を連結管に固定するための固定部材と、ロッドの他端側を連結管に摺動可能に支持させるための支持部材とが同一形状のものであるため、ケーブル管用伸縮継手の設置時に両部材の相違を意識することなくロッドの固定及び支持の作業を行うことができ、その分作業の容易化を図ることができる。しかも、両部材の固定部は連結管の外周面にチューブの一端と共止めされるものであるため、作業の容易化を一層図ることができるという効果をも奏する。
【００２８】
特に、請求項２に係る発明では、ケーブル管用伸縮継手の設置時に分割ロッドを１本ずつチューブ内などに挿入しかつ隣接する２本の分割ロッド同士をそれぞれねじ結合により連結することによって、長いロッドをチューブ内などに所定状態に比較的容易に配置することができるので、作業の容易化をより一層図ることができる。
【図面の簡単な説明】
【図１】本発明の第１の実施形態に係るケーブル管用伸縮継手の施工状態を示す正面図である。
【図２】同じく側面図である。
【図３】図１のＸ−Ｘ線における断面図である。
【図４】図３のＹ−Ｙ線における断面図である。
【図５】蛇腹式チューブの下半分を切開して見た側面図である。
【図６】図４のＺ部分の拡大図である。
【図７】図６のＫ−Ｋ線における断面図である。
【図８】ロッドの分解した状態を示す側面図である。
【図９】第２の実施形態を示す図６相当図である。
【図１０】図９のＬ−Ｌ線における断面図である。
【図１１】図８相当図である。
【符号の説明】
１    ケーブル管用伸縮継手
２    高欄（構造物）
３    遊間部
４    ケーブル管
１１ａ，１１ｂ    ハンドホール
１４    連結管
１６    蛇腹式チューブ
１７，３０    ロッド
１７ａ，１７ｂ，３０ａ，３０ｂ    分割ロッド
１７ｃ，３０ｃ    ねじ部
１７ｄ，３０ｄ    ねじ穴
１８，３５    固定部材
１９    支持部材
２１ａ，３５ａ    固定部
２１ｂ，３５ｂ    支持部
【図１】
0003725497.tif 000002
【図２】
0003725497.tif 000003
【図３】
0003725497.tif 000004
【図４】
0003725497.tif 000005
【図５】
0003725497.tif 000006
【図６】
0003725497.tif 000007
【図７】
0003725497.tif 000008
【図８】
0003725497.tif 000009
【図９】
0003725497.tif 000010
【図１０】
0003725497.tif 000011
【図１１】
0003725497.tif 000012